(57)【特許請求の範囲】
【請求項１】
柱と横架材とを柱勝ちとなるよう結合する柱と横架材との結合構造であって、
一方側が柱に挿入固定され、他方側が横架材に挿入固定されるプレート部材と、
一方側が柱に挿入され、他方側が横架材に挿入されると共に、前記プレート部材を挟んで前記柱部材の長手方向両側に配設されるほぞ部材と、
を備え、
前記ほぞ部材は、その長手方向に互いに所定の間隔をおいた位置に、当該長手方向と略垂直な方向に貫通する複数の貫通孔が形成されてなり、
前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、
前記貫通孔にドリフトピンを貫通させることにより、前記ほぞ部材を前記柱及び横架材に固定してなる柱と横架材との結合構造。
【請求項２】
柱と横架材とを横架材勝ちとなるよう結合する柱と横架材との結合構造であって、
一方側が横架材に挿入固定され、他方側が柱に挿入固定されるプレート部材と、
一方側が横架材に挿入され、他方側が柱に挿入されると共に、前記プレート部材を挟んで前記横架材の長手方向両側に配設されるほぞ部材と、
を備え、
前記ほぞ部材は、その長手方向に互いに所定の間隔をおいた位置に、当該長手方向と略垂直な方向に貫通する複数の貫通孔が形成されてなり、
前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、
前記貫通孔にドリフトピンを貫通させることにより、前記ほぞ部材を前記柱及び横架材に固定してなる柱と横架材との結合構造。
【請求項３】
前記ほぞ部材の他方側に形成された貫通孔は、当該ほぞ部材の長手方向に延びる中心線から偏倚した位置に形成されてなる請求項１または請求項２記載の柱と横架材との結合構造。
【請求項４】
前記ドリフトピンは、前記貫通孔に着脱可能に貫通される請求項１ないし請求項３のいずれか一項も記載の柱と横架材との結合構造。
【請求項５】
前記プレート部材は、ボルトを介して前記柱及び横架材に固定される請求項１ないし請求項４のいずれか一項に記載の柱と横架材との結合構造。
【請求項６】
柱と柱との間に横架材を配置し、柱勝ちとなるよう前記両柱に横架材を結合してなるフレーム構造であって、
一方側が柱に挿入固定され、他方側が横架材に挿入固定されるプレート部材と、
一方側が柱に挿入され、他方側が横架材に挿入されると共に、前記プレート部材を挟んで前記柱部材の長手方向両側に配設されるほぞ部材と、
を備え、
前記ほぞ部材は、その長手方向に互いに所定の間隔をおいた位置に、当該長手方向と略垂直な方向に貫通する複数の貫通孔が形成されてなり、
前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、
前記貫通孔にドリフトピンを貫通させることにより、前記ほぞ部材を前記柱及び横架材に固定してなるフレーム構造。
【請求項７】
柱と柱との間に横架材を配置し、横架材勝ちとなるよう前記両柱に横架材を結合してなるフレーム構造であって、
一方側が横架材に挿入固定され、他方側が柱に挿入固定されるプレート部材と、
一方側が横架材に挿入され、他方側が柱に挿入されると共に、前記プレート部材を挟んで前記横架材の長手方向両側に配設されるほぞ部材と、
を備え、
前記ほぞ部材は、その長手方向に互いに所定の間隔をおいた位置に、当該長手方向と略垂直な方向に貫通する複数の貫通孔が形成されてなり、
前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、
前記貫通孔にドリフトピンを貫通させることにより、前記ほぞ部材を前記柱及び横架材に固定してなるフレーム構造。
【請求項８】
柱と柱との間に、横架材を互いに間隔をおいて上下方向に複数配置し、当該各横架材を柱勝ちとなるよう前記両柱に結合してなるフレーム構造であって、
一方側が柱に挿入固定され、他方側が横架材に挿入固定されるプレート部材と、
一方側が柱に挿入され、他方側が横架材に挿入されると共に、前記プレート部材を挟んで前記柱部材の長手方向両側に配設されるほぞ部材と、
を備え、
前記ほぞ部材は、その長手方向に互いに所定の間隔をおいた位置に、当該長手方向と略垂直な方向に貫通する複数の貫通孔が形成されてなり、
前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、
前記貫通孔にドリフトピンを貫通させることにより、前記ほぞ部材を前記柱及び横架材に固定してなるフレーム構造。
【請求項９】
柱と柱との間に、横架材を互いに間隔をおいて上下方向に複数配置し、当該各横架材を横架材勝ちとなるよう前記両柱に結合してなるフレーム構造であって、
一方側が横架材に挿入固定され、他方側が柱に挿入固定されるプレート部材と、
一方側が横架材に挿入され、他方側が柱に挿入されると共に、前記プレート部材を挟んで前記横架材の長手方向両側に配設されるほぞ部材と、
を備え、
前記ほぞ部材は、その長手方向に互いに所定の間隔をおいた位置に、当該長手方向と略垂直な方向に貫通する複数の貫通孔が形成されてなり、
前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、
前記貫通孔にドリフトピンを貫通させることにより、前記ほぞ部材を前記柱及び横架材に固定してなるフレーム構造。
【発明の詳細な説明】
【技術分野】
【０００１】
本発明は、基礎上に柱を設置するための柱と横架材との接続構造、並びにフレーム構造に関する。
【背景技術】
【０００２】
従来、木造軸組住宅では柱と横架材（例えば梁等）のとの結合や、基礎と柱との結合を行うに際には、様々な結合金物が用いられている。例えば、柱を挟んだ横架材同士の結合には、羽子板金物や短冊金物が用いられている。また、筋かいを固定する際には、さらに筋かい固定金物が用いられている。一方、柱と基礎との結合には、ホールダウン金物、かど金物や山形金物等が用いられている。これらはそれぞれに特徴的な機能を持って木造軸組の構造的な強度を高めている。
【０００３】
このような結合金物を使用した結合構造としては、例えば、柱の上端面に横架材を載置し、これらをほぞ棒金物と座金およびボルトによって結合したものがある。この結合構造では、ほぞ棒金物が、ほぞ棒部とその一端に設けたねじ部とからなり、ほぞ棒金物を柱の上端面から柱の軸方向へ、ねじ部を上方にしてほぞ棒部を嵌入させ、ほぞ棒金物と柱に貫通する貫通金物によりほぞ棒金物と柱を固定し、横架材の上面から座金を介してボルトをほぞ棒金物のねじ部に結合し緊結した構造となっている。（例えば、特許文献１）。
【０００４】
また、木材の強度変形性能による異方性に合わせて、横架材の曲げモーメントを伝達可能な引張雇いほぞが紹介されている。この引張雇いほぞは、柱と横架材との結合や、基礎と柱との結合に使用される場合、ボルトや座金で接続箱に緊結された状態で両者に固定されるものである。（例えば、特許文献２参照）。
【特許文献１】特開２００３−１５５７８０号
【特許文献２】特開２００３−２６１９８３号
【発明の開示】
【発明が解決しようとする課題】
【０００５】
しかしながら、特許文献１に記載された結合構造は、基礎と柱とを連結させる場合、及び柱と横架材とを結合させる場合とも、柱の長手方向（上下方向）に１本のほぞ棒金物を挿入し、このほぞ棒金物に形成された貫通孔にドリフトピンを貫通させる構成を採用している。ここで、柱や横架材に曲げモーメントがかかった場合、曲げモーメントがかかる方向には、圧縮応力と引っ張り応力がかかることになるが、特許文献１に記載された結合構造のように、１本の棒ほぞ金物で曲げモーメントを受けた場合、圧縮応力及び引っ張り応力の両方に対応することが困難である。
【０００６】
また、特許文献２に記載された引張雇いほぞは、柱勝ちとなるように柱の両側から横架材を結合させている。この特許文献２には、柱の上下方向に複数のボルトが各々並設するように左右方向に貫通させ、最上部と最下部に配設されたボルトの各端部を、両横架材に取付けられた箱に固定し、さらにこの箱に引張雇いほぞの一端を固定して、他端を横架材に固定し、さらに、他のボルトの各端部を、両横架材に取付けられたガゼットに固定した結合構造が記載されている。この構造は、柱にボルトを貫通させるための複数のボルト孔を形成する必要があり加工に手間がかかるという問題がある。また、柱にとっては、ボルトのみで横架材を支えることになるため、木やせ等により、十分な強度が得られない可能性もあり、また、横架材の曲げモーメントに対し十分に対応することができない虞もある。さらに、横架材には、箱やガゼットを取付ける必要があり、加工に手間がかかるという問題がある。
【０００７】
本発明は、このような従来の問題点を解決することを課題とするものであり、構造が簡単で、曲げモーメントにより生じる圧縮応力及び引っ張り応力の両方に十分に耐えうる強度を備えた柱と横架材との接続構造、並びにフレーム構造を提供することを目的とする。
【課題を解決するための手段】
【０００８】
この目的を達成するため、本発明は、柱と横架材とを柱勝ちとなるよう結合する柱と横架材との結合構造であって、一方側が柱に挿入固定され、他方側が横架材に挿入固定されるプレート部材と、一方側が柱に挿入され、他方側が横架材に挿入されると共に、前記プレート部材を挟んで前記柱部材の長手方向両側に配設されるほぞ部材と、を備え、前記ほぞ部材は、その長手方向に互いに所定の間隔をおいた位置に、当該長手方向と略垂直な方向に貫通する複数の貫通孔が形成されてなり、前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、前記貫通孔にドリフトピンを貫通させることにより、前記ほぞ部材を前記柱及び横架材に固定してなる柱と横架材との結合構造を提供するものである。
【０００９】
そしてまた、本発明は、柱と横架材とを横架材勝ちとなるよう結合する柱と横架材との結合構造であって、一方側が横架材に挿入固定され、他方側が柱に挿入固定されるプレート部材と、一方側が横架材に挿入され、他方側が柱に挿入されると共に、前記プレート部材を挟んで前記横架材の長手方向両側に配設されるほぞ部材と、を備え、前記ほぞ部材は、その長手方向に互いに所定の間隔をおいた位置に、当該長手方向と略垂直な方向に貫通する複数の貫通孔が形成されてなり、前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、前記貫通孔にドリフトピンを貫通させることにより、前記ほぞ部材を前記柱及び横架材に固定してなる柱と横架材との結合構造を提供するものである。
【００１０】
これらの構成を備えた柱と横架材との結合構造は、プレート部材を挟んだ両側にほぞ部材が配設されてなるため、１本の柱及び１本の横架材に対し、プレート部材と複数のほぞ部材が使用されることになる。したがって、曲げモーメントにより生じる圧縮応力及び引っ張り応力の両方に十分に耐えうる強度を提供することができる。
【００１１】
これら柱と横架材との結合構造では、前記ほぞ部材の他方側に形成された貫通孔は、当該ほぞ部材の長手方向に延びる中心線から偏倚した位置に形成することができる。
【００１２】
また、前記ドリフトピンは、前記貫通孔に着脱可能に貫通されることができる。
【００１３】
さらにまた、前記プレート部材は、ボルトを介して前記柱及び横架材に固定される構造にすることができる。
【００１４】
また、本発明は、柱と柱との間に横架材を配置し、柱勝ちとなるよう前記両柱に横架材を結合してなるフレーム構造であって、一方側が柱に挿入固定され、他方側が横架材に挿入固定されるプレート部材と、一方側が柱に挿入され、他方側が横架材に挿入されると共に、前記プレート部材を挟んで前記柱部材の長手方向両側に配設されるほぞ部材と、を備え、前記ほぞ部材は、その長手方向に互いに所定の間隔をおいた位置に、当該長手方向と略垂直な方向に貫通する複数の貫通孔が形成されてなり、前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、前記貫通孔にドリフトピンを貫通させることにより、前記ほぞ部材を前記柱及び横架材に固定してなるフレーム構造を提供するものである。
【００１５】
そしてまた、本発明は、柱と柱との間に横架材を配置し、横架材勝ちとなるよう前記両柱に横架材を結合してなるフレーム構造であって、一方側が横架材に挿入固定され、他方側が柱に挿入固定されるプレート部材と、一方側が横架材に挿入され、他方側が柱に挿入されると共に、前記プレート部材を挟んで前記横架材の長手方向両側に配設されるほぞ部材と、を備え、前記ほぞ部材は、その長手方向に互いに所定の間隔をおいた位置に、当該長手方向と略垂直な方向に貫通する複数の貫通孔が形成されてなり、前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、前記貫通孔にドリフトピンを貫通させることにより、前記ほぞ部材を前記柱及び横架材に固定してなるフレーム構造を提供するものである。
【００１６】
さらにまた、本発明は、柱と柱との間に、横架材を互いに間隔をおいて上下方向に複数配置し、当該各横架材を柱勝ちとなるよう前記両柱に結合してなるフレーム構造であって、一方側が柱に挿入固定され、他方側が横架材に挿入固定されるプレート部材と、一方側が柱に挿入され、他方側が横架材に挿入されると共に、前記プレート部材を挟んで前記柱部材の長手方向両側に配設されるほぞ部材と、を備え、前記ほぞ部材は、その長手方向に互いに所定の間隔をおいた位置に、当該長手方向と略垂直な方向に貫通する複数の貫通孔が形成されてなり、前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、前記貫通孔にドリフトピンを貫通させることにより、前記ほぞ部材を前記柱及び横架材に固定してなるフレーム構造を提供するものである。
【００１７】
そしてまた、本発明は、柱と柱との間に、横架材を互いに間隔をおいて上下方向に複数配置し、当該各横架材を横架材勝ちとなるよう前記両柱に結合してなるフレーム構造であって、一方側が横架材に挿入固定され、他方側が柱に挿入固定されるプレート部材と、一方側が横架材に挿入され、他方側が柱に挿入されると共に、前記プレート部材を挟んで前記横架材の長手方向両側に配設されるほぞ部材と、を備え、前記ほぞ部材は、その長手方向に互いに所定の間隔をおいた位置に、当該長手方向と略垂直な方向に貫通する複数の貫通孔が形成されてなり、前記ほぞ部材の他方側に形成された貫通孔は、隣接した貫通孔同士が相互に略直交するよう形成されてなり、一方側に形成された貫通孔は、隣接した貫通孔同士が、当該ほぞ部材の長手方向に延びる中心線を挟んで交互に配設されるよう形成されてなり、前記貫通孔にドリフトピンを貫通させることにより、前記ほぞ部材を前記柱及び横架材に固定してなるフレーム構造を提供するものである。
【００１８】
また、本発明にかかる柱と横架材との接続構造の柱脚構造（すなわち、基礎上に柱を設置するための柱脚構造）としては、前記基礎上に固定されると共に、内部に複数の空間が形成されるよう仕切られてなる柱脚ボックスと、前記柱脚ボックスに固定され、前記柱の柱脚部分に挿入される複数のほぞ部材と、を備え、前記ほぞ部材は、その長手方向に互いに所定の間隔をおいた位置に、当該長手方向と略垂直な方向に貫通する複数の貫通孔が形成されてなり、前記複数の貫通孔は、隣接した貫通孔同士が相互に略直交するよう形成されてなり、前記ほぞ部材は、前記貫通孔にドリフトピンを貫通させることにより、前記柱の柱脚部分に固定されたものが挙げられる。
【００１９】
この構成を備えた柱脚構造は、内部に複数の空間が形成されるよう仕切られてなる柱脚ボックスの前記空間毎に少なくとも１本のほぞ部材を配置したため、１本の柱に対し複数のほぞ部材が使用されることになる。したがって、曲げモーメントにより生じる圧縮応力及び引っ張り応力の両方に十分に耐えうる強度を提供することができる。
【００２０】
また、前記ほぞ部材は、前記柱脚ボックスの前記空間毎に少なくとも１つ配置されてなることができる。
【００２１】
そしてまた、前記ほぞ部材に形成された複数の貫通孔は、当該ほぞ部材の長手方向に延びる中心線から偏倚した位置に形成することができる。
【００２２】
また、前記ドリフトピンは、前記貫通孔に着脱可能に貫通されることができる。
【００２３】
そしてまた、前記ほぞ部材は、前記柱脚ボックスの内部から外部に貫通するボルトを介して、当該柱脚ボックスに固定されることができる。
【００２４】
さらにまた、前記柱脚ボックスには、前記ほぞ部材及びドリフトピンを介して１本の柱を設置することもできる。
【発明の効果】
【００２５】
本発明にかかる柱と横架材との接続構造は、１本の柱及び１本の横架材に対し、プレート部材と複数のほぞ部材が使用されることになる結果、曲げモーメントにより生じる圧縮応力及び引っ張り応力の両方に十分に耐えうる強度を提供することができる。したがって、強靱で信頼性の高い柱と横架材との接続構造を提供することができる。
【００２６】
そしてまた、本発明にかかるフレーム構造は、１本の柱及び１本の横架材に対し、プレート部材と複数のほぞ部材が使用されることになる結果、曲げモーメントにより生じる圧縮応力及び引っ張り応力の両方に十分に耐えうる強度を提供することができる。したがって、強靱で信頼性の高いフレーム構造を提供することができる。
【発明を実施するための最良の形態】
【００２７】
次に、本発明の好適な実施の形態にかかる柱と横架材との接続構造について図面を参照して説明する。
【００２８】
なお、以下に記載される実施例は、本発明を説明するための例示であり、本発明をこれらの実施形態にのみ限定するものではない。したがって、本発明は、その要旨を逸脱しない限り、様々な形態で実施することができる。
【実施例１】
【００２９】
図１は、本発明の実施例１にかかるにかかる柱と横架材との接続構造の柱脚部分を示す正面図、図２は、図１に示す柱脚部分内が判るように透視した透視図、図３は、図２に示すIII−III線に沿った断面図、図４は、図１に示す柱脚部分の構成要素であるほぞ部材の拡大正面図、図５は、本発明の実施例１にかかる柱と横架材との接続構造を示す透視図、図６は、図５に示すVI−VI線に沿った断面図、図７は、図５に示すVII−VII線に沿った断面図、図８は、図５に示す柱と横架材との接続構造の構成要素であるほぞ部材の拡大正面図である。
【００３０】
図１〜図４に示すように、実施例１にかかる柱と横架材との接続構造の柱脚部分１は、基礎１００上に固定される柱脚ボックス１０と、柱脚ボックス１０に固定されて柱１１０の柱脚部分１１１に挿入されるほぞ部材２０と、ほぞ部材２０に形成された貫通孔２１Ａ、２１Ｂ、２１Ｃ及び２１Ｄを各々貫通するドリフトピン３１Ａ、３１Ｂ、３１Ｃ及び３１Ｄと、を備えて構成されている。
【００３１】
柱脚ボックス１０は、柱１１０の底面に対応した底面１１及び上面１２と、底面１１及び上面１２との間に互いに対向して設けられた外壁１３及び１４と、を備えて構成された直方体の箱形を有している。そして、外壁１３及び１４との間には、これらと平行に配置されかつ底面１１及び上面１２に設けられた仕切壁１５が配設されている。すなわち、この柱脚ボックス１０は、仕切壁１５によって、内部が２つの空間１６及び１７が存在するよう仕切られている。この仕切壁１５は、柱脚ボックス１０の強度を向上させる役割を果たしている。
【００３２】
また、柱脚ボックス１０の上面１２には、各々の空間１６及び１７毎に１つずつ、後に詳述するほぞ部材２０を固定するためのボルト３２が貫通するボルト孔１８が各々形成されている。一方、柱脚ボックス１０の下面１１には、各々の空間１６及び１７毎に１つずつ、柱脚ボックス１０を基礎１００に固定するためのアンカーボルト３３が貫通するボルト孔１９が各々形成されている。
【００３３】
この柱脚ボックス１０は、基礎１００上に配置され、各々のボルト孔１９にアンカーボルト３３を挿入し、さらに基礎１００に形成されているボルト孔１０１にアンカーボルト３３を挿入固定することで、基礎１００に確実に固定される。
【００３４】
ほぞ部材２０は、略円柱状を有し、柱脚ボックス１０の空間１６及び１７に、それぞれ１つずつ配置されている。このほぞ部材２０には、その長手方向（図４に示す中心線Ｏ方向）に互いに所定の間隔をおいた位置であって、中心線Ｏから偏倚した位置に、貫通孔２１Ａ、２１Ｂ、２１Ｃ及び２１Ｄが形成されている。この貫通孔２１Ａ、２１Ｂ、２１Ｃ及び２１Ｄは、ほぞ部材２０の長手方向と略垂直な方向に貫通しており、貫通孔２１Ｂは、貫通孔２１Ａと相互に直交するよう形成されている。また、貫通孔２１Ｃは、貫通孔２１Ｂと相互に直交すると共に、貫通孔２１Ａとは中心線Ｏを挟んだ反対側に形成されている。さらにまた、貫通孔２１Ｄは、貫通孔２１Ｃと相互に直交すると共に、貫通孔２１Ｂとは中心線Ｏを挟んだ反対側に形成されている。
【００３５】
また、ほぞ部材２０の下端（柱脚ボックス１０に配設される側）には、ほぞ部材２０の下端を柱脚ボックス１０の上面１２に固定するためのボルト３２が螺合するボルト孔２２が形成されている。このほぞ部材２０は、柱１００の柱脚部分１１１に形成された挿入孔１１２に挿入され、柱脚ボックス１０の上面１２側から突出するボルト３２がボルト孔２２に螺合することで、柱脚ボックス１０に固定される。
【００３６】
ドリフトピン３１Ａ、３１Ｂ、３１Ｃ及び３１Ｄは、柱１１０に形成された貫通孔１０２Ａ、１０２Ｂ、１０２Ｃ及び１０２Ｄを各々貫通し、さらに貫通孔２１Ａ、２１Ｂ、２１Ｃ及び２１Ｄを貫通することにより、ほぞ部材２０を柱１１０の柱脚部分１１１に固定する。
【００３７】
この構成を備えた柱脚部分１は、内部に２つの空間１６及び１７が形成されるよう仕切壁１５によって仕切られている柱脚ボックス１０を使用し、空間１５及び１６毎に１本のほぞ部材２０を配置したため、１本の柱１１０に対し２本のほぞ部材２０が使用されることになる。したがって、曲げモーメントにより生じる圧縮応力及び引っ張り応力の両方に十分に耐えうる強度を提供することができる。さらに、ほぞ部材２０は、その中心線Ｏから偏倚した位置で各々間隔をおいて配設された４本のドリフトピン３１Ａ、３１Ｂ、３１Ｃ及び３１Ｄによって柱１１０に固定されているため、さらに曲げモーメントにより生じる圧縮応力及び引っ張り応力の両方に耐えうる強度を向上させることができる。したがって、強靱で信頼性の高い柱脚部分１を提供することができる。
【００３８】
本発明の実施例１にかかる柱１１０と横架材１２０との連結構造２は、図５〜図７に示すように、柱１１０と横架材１２０とを柱勝ちに結合している。この柱１１０と横架材１２０との連結構造２は、一方側が柱１１０に挿入固定され、他方側が横架材１２０に挿入固定されるプレート部材４０と、一方側が柱１１０に挿入され、他方側が横架材１２０に挿入されると共に、プレート部材４０を挟んだ上下両側に水平に各々配設されるほぞ部材５０と、ほぞ部材５０の一方側（柱１１０に挿入される側）に形成された貫通孔５１Ａ、５１Ｂ、５１Ｃ及び５１Ｄと、他方側（横架材１２０に挿入される側）に形成された貫通孔２１Ａ、２１Ｂ、２１Ｃ及び２１Ｄ、を各々貫通するドリフトピン５３Ａ、５３Ｂ、５３Ｃ、５３Ｄ、３１Ａ、３１Ｂ、３１Ｃ及び３１Ｄと、を備えて構成されている。
【００３９】
プレート部材４０は、略四角形の板状を備えており、その約半分（図５でいう左側約半分）が、柱１１０に形成された挿入溝１１３に挿入される。また、残りの部分（図５でいう右側約半分）は、横架材１２０に形成された挿入溝１２３に挿入される。このプレート部材４０は、挿入溝１１３及び１２３に挿入された後、ボルト１２５等の固定部材によって柱１１０及び横架材１２０に確実に固定される。
【００４０】
ほぞ部材５０は略円柱状を有し、一方側が、柱１１０に形成された挿入孔１１５に挿入され、他方側が横架材１２０に形成された挿入孔１２８に挿入される。このほぞ部材５０には、その長手方向（図８に示す中心線Ｏ方向）に互いに所定の間隔をおいた位置であって、中心線Ｏから偏倚した位置に、貫通孔５１Ａ、５１Ｂ、５１Ｃ及び５１Ｄと、２１Ａ、２１Ｂ、２１Ｃ及び２１Ｄとが形成されている。これらの貫通孔５１Ａ、５１Ｂ、５１Ｃ及び５１Ｄは、隣接した貫通孔同士が、中心線Ｏを挟んだ反対側に交互に配設されるよう形成されている。
【００４１】
ドリフトピン３１Ａ、３１Ｂ、３１Ｃ及び３１Ｄは、横架材１２０に形成された貫通孔１３２Ａ、１３２Ｂ、１３２Ｃ及び１３２Ｄを各々貫通し、さらにほぞ部材５０の貫通孔２１Ａ、２１Ｂ、２１Ｃ及び２１Ｄを貫通することにより、ほぞ部材５０を横架材１２０に固定する。また、ドリフトピン５３Ａ、５３Ｂ、５３Ｃ、５３Ｄは、柱１１０に形成された貫通孔１４２Ａ、１４２Ｂ、１４２Ｃ及び１４２Ｄを各々貫通し、さらにほぞ部材５０の貫通孔５１Ａ、５１Ｂ、５１Ｃ及び５１Ｄを貫通することにより、ほぞ部材５０を柱１１０に固定する。
【００４２】
このように、実施例１にかかる柱１１０と横架材１２０との結合構造２は、プレート部材４０と、２本のほぞ部材５０とを使用して、柱１１０と横架材１２０とを連結することになる。したがって、曲げモーメントにより生じる圧縮応力及び引っ張り応力の両方に十分に耐えうる強度を提供することができる。さらに、ほぞ部材５０は、その中心線Ｏから偏倚した位置で各々間隔をおいて配設された４本のドリフトピン５３Ａ、５３Ｂ、５３Ｃ、５３Ｄによって柱１１０に、４本のドリフトピン３１Ａ、３１Ｂ、３１Ｃ及び３１Ｄによって横架材１２０に固定されているため、さらに曲げモーメントにより生じる圧縮応力及び引っ張り応力の両方に耐えうる強度を向上させることができる。したがって、強靱で信頼性の高い柱と横架材との結合構造２を提供することができる。
【００４３】
なお、実施例１では、１本の柱１１０及び横架材１２０に対し１枚のプレート部材４０と、２本のほぞ部材５０を配設した場合について説明したが、これに限らず、プレート部材４０は、所望により２枚以上配設してもよく、また、ほぞ部材５０は、所望により３本以上配設してもよい。
【００４４】
そしてまた、実施例１では、１本のほぞ部材５０の両端部に、４つの貫通孔２１Ａ、２１Ｂ、２１Ｃ及び２１Ｄと、４つの貫通孔５１Ａ、５１Ｂ、５１Ｃ及び５Ｄを開口した場合について説明したが、これに限らず、貫通孔の形成数は、複数であれば特に限定されるものではない。
【００４５】
さらにまた、実施例１では、１本のほぞ部材５０の一端部に対し、各々４本のドリフトピンを配設した場合について説明したが、これに限らず、ドリフトピンの配設数は、複数であれば特に限定されるものではなく、また、ほぞ部材５０に形成された貫通孔の全てに挿入しなくてもよい。
【００４６】
また、実施例１では、柱１１０と横架材１２０とを柱勝ちに結合した場合について説明したが、これに限らず、柱１１０と横架材１２０とを横架材勝ちに結合する場合は、図９に示すように、ほぞ部材５０を、プレート部材４０を挟んだ左右両側に、略鉛直にすればよい。この場合、ほぞ部材５０の貫通孔２１Ａ、２１Ｂ、２１Ｃ及び２１Ｄが形成された側を柱１１０に形成された挿入孔１１６に挿入し、貫通孔５１Ａ、５１Ｂ、５１Ｃ及び５Ｄが形成された側を横架材１２０の挿入孔１２９に挿入すればよい。
【００４７】
また、実施例１では、内部に２つの空間１６及び１７が形成されるよう仕切壁１５によって仕切られた柱脚ボックス１０を使用した場合について説明したが、これに限らず、柱脚ボックス１０は、内部に３つ以上の空間が形成されるように、複数の仕切壁によって仕切ってもよい。
【００４８】
そしてまた、実施例１では、１本の柱１１０に対し２本のほぞ部材２０を配設した場合について説明したが、これに限らず、ほぞ部材２０は、所望により３本以上配設してもよい。
【００４９】
さらにまた、実施例１では、１本のほぞ部材２０に対し、４つの貫通孔２１Ａ、２１Ｂ、２１Ｃ及び２１Ｄを開口した場合について説明したが、これに限らず、貫通孔の形成数は、複数であれば特に限定されるものではない。
【００５０】
また、実施例１では、１本のほぞ部材２０に対し、４本のドリフトピン３１Ａ、３１Ｂ、３１Ｃ及び３１Ｄを配設した場合について説明したが、これに限らず、ドリフトピンの配設数は、複数であれば特に限定されるものではなく、また、ほぞ部材２０に形成された貫通孔の全てに挿入しなくてもよい。
【実施例２】
【００５１】
次に、本発明の実施例２にかかるフレーム構造をについて図面を参照して説明する。
【００５２】
図１０は、実施例２にかかるフレーム構造を示す透視図である。
【００５３】
なお、実施例２では、実施例１で説明した部材と同様の部材には同一の符号を付し、その詳細な説明は省略する。
【００５４】
図１０に示すように、実施例２にかかるフレーム構造は、実施例２で説明した、柱１１０と横架材１２０とを柱勝ちに結合してなる柱１１０と横架材１２０との接続構造（図５〜図８参照）を２つ連結して、柱１１０と柱１１０との間に横架材１２０を柱勝ちとなるように固定した構造を備えている。
【００５５】
このフレーム構造は、実施例２にかかる柱勝ちの柱と横架材との結合構造２と同様に、各々の柱１１０と横架材１２０との連結には、プレート部材４０と、２本のほぞ部材５０が使用されることになる。したがって、曲げモーメントにより生じる圧縮応力及び引っ張り応力の両方に十分に耐えうる強度を提供することができる。さらに、ほぞ部材５０は、その中心線Ｏから偏倚した位置で各々間隔をおいて配設された４本のドリフトピン５３Ａ、５３Ｂ、５３Ｃ、５３Ｄによって柱１１０に、４本のドリフトピン３１Ａ、３１Ｂ、３１Ｃ及び３１Ｄによって横架材１２０に固定されているため、さらに曲げモーメントにより生じる圧縮応力及び引っ張り応力の両方に耐えうる強度を向上させることができる。したがって、強靱で信頼性の高いフレーム構造となる。
【００５６】
なお、実施例２では、２本の柱１１０の間に横架材１２０を柱勝ちとなるように固定した場合について説明したが、これに限らず、本発明にかかるフレーム構造は、例えば、図１２に示すように、柱１１０を３本以上配置し、各々の柱１１０と柱１１０との間に、横架材１２０を柱勝ちとなるように固定した構造とすることもできる。
【００５７】
また、図１４に示すように、本発明にかかるフレーム構造は、柱１１０と柱１１０との間に、横架材１２０を互いに間隔をおいて上下方向に複数配置し、各横架材１２０を柱勝ちとなるよう両柱１１０に結合した構造とすることもできる。
【００５８】
そしてまた、図１２に示すような多連構造を、図１４に示すように上下方向に複数配設してもよい。
【実施例３】
【００５９】
次に、本発明の実施例３にかかるフレーム構造をについて図面を参照して説明する。
【００６０】
図１１は、実施例３にかかるフレーム構造を示す透視図である。
【００６１】
なお、実施例３では、実施例１で説明した部材と同様の部材には同一の符号を付し、その詳細な説明は省略する。
【００６２】
図１１に示すように、実施例３にかかるフレーム構造は、実施例２で説明した、柱１１０と横架材１２０とを横架材勝ちに結合してなる柱１１０と横架材１２０との接続構造（図９参照）を２つ連結して、柱１１０と柱１１０との間に横架材１２０を横架材勝ちとなるように固定した構造を備えている。
【００６３】
このフレーム構造は、実施例２にかかる横架材勝ちの柱と横架材との結合構造と同様に、各々の柱１１０と横架材１２０との連結には、プレート部材４０と、２本のほぞ部材５０が使用されることになる。したがって、曲げモーメントにより生じる圧縮応力及び引っ張り応力の両方に十分に耐えうる強度を提供することができる。さらに、ほぞ部材５０は、その中心線Ｏから偏倚した位置で各々間隔をおいて配設された４本のドリフトピン５３Ａ、５３Ｂ、５３Ｃ、５３Ｄによって柱１１０に、４本のドリフトピン３１Ａ、３１Ｂ、３１Ｃ及び３１Ｄによって横架材１２０に固定されているため、さらに曲げモーメントにより生じる圧縮応力及び引っ張り応力の両方に耐えうる強度を向上させることができる。したがって、強靱で信頼性の高いフレーム構造となる。
【００６４】
なお、実施例３では、２本の柱１１０の間に横架材１２０を横架材勝ちとなるように固定した場合について説明したが、これに限らず、本発明にかかるフレーム構造は、例えば、図１３に示すように、柱１１０を３本以上配置し、各々の柱１１０と柱１１０との間に、横架材１２０を横架材勝ちとなるように固定した構造とすることもできる。
【００６５】
また、図１５に示すように、本発明にかかるフレーム構造は、柱１１０と柱１１０との間に、横架材１２０を互いに間隔をおいて上下方向に複数配置し、各横架材１２０を横架材勝ちとなるよう両柱１１０に結合した構造とすることもできる。
【００６６】
そしてまた、図１３に示すような多連構造を、図１５に示すように上下方向に複数配設してもよい。
【図面の簡単な説明】
【００６７】
【図１】本発明の実施例１にかかる柱脚構造を示す正面図である。
【図２】図１に示す柱脚構造内が判るように透視した透視図である。
【図３】図２に示すIII−III線に沿った断面図である。
【図４】図１に示す柱脚構造の構成要素であるほぞ部材の拡大正面図である。
【図５】本発明の実施例１にかかる柱と横架材との接続構造を示す透視図である。
【図６】図５に示すVI−VI線に沿った断面図である。
【図７】図５に示すVII−VII線に沿った断面図である。
【図８】図５に示す柱と横架材との接続構造の構成要素であるほぞ部材の拡大正面図である。
【図９】本発明の他の実施例２にかかる柱と横架材との接続構造を示す透視図である。
【図１０】本発明の実施例２にかかるフレーム構造を示す透視図である。
【図１１】本発明の実施例３にかかるフレーム構造を示す透視図である。
【図１２】本発明の他の実施例にかかるフレーム構造を示す透視図である。
【図１３】本発明の他の実施例にかかるフレーム構造を示す透視図である。
【図１４】本発明の他の実施例にかかるフレーム構造を示す透視図である。
【図１５】本発明の他の実施例にかかるフレーム構造を示す透視図である。
【符号の説明】
【００６８】
１    柱脚部分
２    柱と横架材との接続構造
１０    柱脚ボックス
１５    仕切壁
２０、５０    ほぞ部材
２１Ａ、２１Ｂ、２１Ｃ、２１Ｄ、５１Ａ、５１Ｂ、５１Ｃ、５１Ｄ    貫通孔
３１Ａ、３１Ｂ、３１Ｃ、３１Ｄ、５３Ａ、５３Ｂ、５３Ｃ、５３Ｄ    ドリフトピン
４０    プレート部材
１００    基礎
１１０    柱
１２０    横架材
【要約】
【課題】  構造が簡単で、曲げモーメントにより生じる圧縮応力、引っ張り応力の両方に十分に耐える強度を備えた柱と横架材との接続構造及びフレーム構造を提供する。
【解決手段】  一方側が柱１１０に、他方側が横架材１２０に挿入固定されるプレート部材４０と、一方側が柱１１０に、他方側が横架材１２０に挿入されると共に、前記プレート部材４０を挟んだ両側に配設されるほぞ部材５０を備え、ほぞ部材５０は、その長手方向に互いに所定の間隔をおいた位置に、当該長手方向と略垂直な方向に貫通する複数の貫通孔が形成され、ほぞ部材５０の一方側に形成された貫通孔は、隣接した貫通孔同士が相互に略直交し、他方側に形成された貫通孔は、隣接した貫通孔同士が、ほぞ部材５０の長手方向に延びる中心線を挟んで交互に配設され、前記貫通孔にドリフトピンを貫通させることにより、ほぞ部材５０を柱１１０及び横架材１２０に固定した柱と横架材との結合構造である。
【選択図】    図５
【図１】
0003627753.tif 000002
【図２】
0003627753.tif 000003
【図３】
0003627753.tif 000004
【図４】
0003627753.tif 000005
【図５】
0003627753.tif 000006
【図６】
0003627753.tif 000007
【図７】
0003627753.tif 000008
【図８】
0003627753.tif 000009
【図９】
0003627753.tif 000010
【図１０】
0003627753.tif 000011
【図１１】
0003627753.tif 000012
【図１２】
0003627753.tif 000013
【図１３】
0003627753.tif 000014
【図１４】
0003627753.tif 000015
【図１５】
0003627753.tif 000016